(57)【要約】【課題】原稿の両面を読み取り可能な画像読取装置において、読取画質の低下を抑制すること。【解決手段】画像読取装置１では、各読取部２４、２５に対向して白基準部材３６、４６が配置されており、その搬送方向Ｄ１における位置が調整されている。つまり、第１白基準部材３６の下流端は、第２光源４１から出射されて第２白基準部材４６で正反射された反射光が照射される第２照射範囲Ｅ２よりも上流側に調整される。また、第２白基準部材４６の上流端は、第１光源３１から出射されて第１白基準部材３６で正反射された反射光が照射される第１照射範囲Ｅ１の下流端と等しくなるように調整されている。【選択図】図２
2014195245.tif 000002
【特許請求の範囲】
【請求項１】
供給トレイと、
前記供給トレイに載置された原稿を搬送経路に沿って搬送する搬送部と、
前記搬送経路に沿って一方の側から搬送方向の斜め下流向きに光を出射する第１光源と、第１受光部と、を有し、前記原稿の一方の面を読み取る第１読取部と、
前記搬送経路に沿って他方の側から前記搬送方向の斜め下流向きに光を出射する第２光源と、前記第１受光部よりも前記搬送方向において下流側に配置された第２受光部と、を有し、前記原稿の他方の面を読み取る第２読取部と、
前記第１読取部と前記搬送経路を介して対向して配置され、第１反射率を有する第１基準部材と、
前記第２読取部と前記搬送経路を介して対向して配置され、第２反射率を有する第２基準部材と、
前記第１光源と前記第２受光部との間に配置され、光を透過しない第１遮光部材と、
前記第２光源と前記第１受光部との間に配置され、光を透過しない第２遮光部材と、
を備え、
前記搬送方向における前記第１基準部材の下流側端辺は、前記第２光源から出射されて前記第２基準部材で正反射された反射光が照射される範囲よりも上流側に位置し、
前記搬送方向における前記第２基準部材の上流側端辺は、前記第１光源から出射されて前記第１基準部材で正反射された反射光が照射される範囲の下流側端部に位置している、画像読取装置。
【請求項２】
請求項１記載の画像読取装置であって、
前記第１基準部材は、前記搬送方向における幅が、前記搬送方向における前記第１受光部の受光幅以上に設定されており、
前記第２基準部材は、前記搬送方向における幅が、前記搬送方向における前記第２受光部の受光幅以上に設定されている、画像読取装置。
【請求項３】
請求項１または請求項２に記載の画像読取装置であって、
更に、
前記第１基準部材の周辺に位置し、前記第１反射率よりも低い反射率を有する第１周辺部材と、
前記第２基準部材の周辺に位置し、前記第２反射率よりも低い反射率を有する第２周辺部材と、
を備える、画像読取装置。
【請求項４】
請求項１から請求項３のいずれか一項に記載の画像読取装置であって、
更に、
前記搬送経路に沿って一方の側であって、前記第１読取部及び前記第２基準部材の前記搬送経路側に配置され、光を透過する第１透過部材と、
前記搬送経路に沿って他方の側であって、前記第２読取部及び前記第１基準部材の前記搬送経路側に配置され、光を透過する第２透過部材と、
を備え、
前記第１基準部材は、前記搬送経路側において前記第２透過部材と当接し、
前記第２基準部材は、前記搬送経路側において前記第１透過部材と当接する、画像読取装置。
【請求項５】
請求項１から請求項４のいずれか一項に記載の画像読取装置であって、
更に、
制御部、
を備え、
前記制御部は、
前記第１光源及び第２光源を同時に点灯させ、前記第１受光部及び前記第２受光部の出力値を調整する光量調整処理、
を実行する、画像読取装置。
【請求項６】
請求項１から請求項５のいずれか一項に記載の画像読取装置であって、
前記搬送方向における前記第１基準部材の下流側端辺と前記第２基準部材の上流側端辺との間の距離は、前記第１光源から前記第１基準部材の下流側端辺への入射角の正接値に、前記第１基準部材の面方向における前記第１基準部材と前記第２基準部材との間の距離を積した距離に設定される、画像読取装置。
【請求項７】
請求項１から請求項６のいずれか一項に記載の画像読取装置であって、
前記第１基準部材は、前記搬送方向における幅が、前記搬送方向における前記第１受光部の受光幅に設定されており、
前記第２基準部材は、前記搬送方向における幅が、前記搬送方向における前記第２受光部の受光幅に設定されている、画像読取装置。
【請求項８】
請求項１から請求項７のいずれか一項に記載の画像読取装置であって、
前記第１反射率は、前記第２反射率よりも小さい、画像読取装置。
【請求項９】
請求項８記載の画像読取装置であって、
前記第２反射率は、白基準板の反射率であり、
前記第１反射率は、白基準板の反射率よりも小さく黒基準板の反射率よりも大きい、画像読取装置。
【請求項１０】
供給トレイと、
前記供給トレイに載置された原稿を搬送経路に沿って搬送する搬送部と、
前記搬送経路に沿って一方の側から搬送方向の斜め上流向きに光を出射する第１光源と、第１受光部と、を有し、前記原稿の一方の面を読み取る第１読取部と、
前記搬送経路に沿って他方の側から前記搬送方向の斜め上流向きに光を出射する第２光源と、前記第１受光部よりも前記搬送方向において下流側に配置された第２受光部と、を有し、前記原稿の他方の面を読み取る第２読取部と、
前記第１読取部と前記搬送経路を介して対向して配置され、第１反射率を有する第１基準部材と、
前記第２読取部と前記搬送経路を介して対向して配置され、第２反射率を有する第２基準部材と、
前記第１光源と前記第２受光部との間に配置され、光を透過しない第１遮光部材と、
前記第２光源と前記第１受光部との間に配置され、光を透過しない第２遮光部材と、
を備え、
前記搬送方向における前記第２基準部材の上流側端辺は、前記第１光源から出射されて前記第１基準部材で反射された反射光が照射される範囲よりも下流側に位置し、
前記搬送方向における前記第１基準部材の下流側端辺は、前記第２光源から出射されて前記第２基準部材で反射された反射光が照射される範囲の上流側端部に位置している、画像読取装置。
【請求項１１】
供給トレイと、
前記供給トレイに載置された原稿を搬送経路に沿って搬送する搬送部と、
前記搬送経路に沿って一方の側から搬送方向の斜め下流向きに光を出射する第１光源と、第１受光部と、を有し、前記原稿の一方の面を読み取る第１読取部と、
前記搬送経路に沿って他方の側から前記搬送方向の斜め下流向きに光を出射する第２光源と、前記第１受光部よりも前記搬送方向において下流側に配置された第２受光部と、を有し、前記原稿の他方の面を読み取る第２読取部と、
前記第１読取部と前記搬送経路を介して対向して配置され、第１反射率を有する第１基準部材と、
前記第２読取部と前記搬送経路を介して対向して配置され、第２反射率を有する第２基準部材と、
前記搬送方向における前記第２読取部の上流側端辺は、前記搬送方向における前記第１読取部の下流側端辺よりも上流側に位置し、
前記第１反射率は、前記第２反射率よりも小さい、画像読取装置。
【発明の詳細な説明】
【技術分野】
【０００１】
本発明は、原稿の両面を読み取り可能な画像読取装置に用いられる技術に関する。
【背景技術】
【０００２】
従来から、原稿の搬送経路に移動不能に載置された読取デバイスを備えた画像読取装置が知られている。これらの装置では、読取デバイスを移動させて読み取りを行うことができないため、シェーディング補正等に用いられる白基準板などの基準部材が、搬送経路の読取デバイスに対向した位置に配置される。また、これらの装置では、一度の搬送で原稿の両面を読み取るため、搬送経路の上側と下側にそれぞれ読取デバイスと基準部材を配置した画像読取装置が知られている（例えば、特許文献１）。
【先行技術文献】
【特許文献】
【０００３】
【特許文献１】特開２０１２−２３７８２号公報
【発明の概要】
【発明が解決しようとする課題】
【０００４】
搬送経路の上側と下側など、搬送経路の異なる側にそれぞれ読取デバイスが配置される装置では、搬送方向における読取デバイス間の距離を縮小することで、装置サイズを縮小することができる。例えば、各読取デバイスを搬送方向に対して逆向きに配置することで、各読取デバイスに対向して基準部材を配置したまま、各読取デバイスを搬送経路において対向して配置することができる。しかし、この場合、各読取デバイスの読取方向が搬送方向に対して逆向きとなることから、各読取デバイスで読み取った読取画像を出力する際に、一方の読取画像に回転処理を実行する必要があり、読取画質が低下する問題が生じる。回転処理を避けるため、搬送方向に対する各読取デバイスの向きを一致させた状態で読取デバイス間の距離を縮小すると、一方の読取デバイスの光源から出射された光が他方の読取デバイスの受光部に直接入射されてしまい、読取画像の読取画質が低下してしまう問題が生じる。また、一方の読取デバイスの光源から出射された光が一方の読取デバイスに対向して配置される基準部材に反射され、更に、他方の読取デバイスに対向して配置される他方の基準部材に反射されて他方の読取デバイスの受光部に入射されてしまい、読取画像の読取画質が低下してしまう問題が生じる。
【０００５】
本明細書では、原稿の両面を読み取り可能な画像読取装置において、読取画質の低下を抑制する技術を開示する。
【課題を解決するための手段】
【０００６】
本明細書によって開示される画像読取装置は、供給トレイと、前記供給トレイに載置された原稿を搬送経路に沿って搬送する搬送部と、前記搬送経路に沿って一方の側から搬送方向の斜め下流向きに光を出射する第１光源と、第１受光部と、を有し、前記原稿の一方の面を読み取る第１読取部と、前記搬送経路に沿って他方の側から前記搬送方向の斜め下流向きに光を出射する第２光源と、前記第１受光部よりも前記搬送方向において下流側に配置された第２受光部と、を有し、前記原稿の他方の面を読み取る第２読取部と、前記第１読取部と前記搬送経路を介して対向して配置され、第１反射率を有する第１基準部材と、前記第２読取部と前記搬送経路を介して対向して配置され、第２反射率を有する第２基準部材と、前記第１光源と前記第２受光部との間に配置され、光を透過しない第１遮光部材と、前記第２光源と前記第１受光部との間に配置され、光を透過しない第２遮光部材と、を備え、前記搬送方向における前記第１基準部材の下流側端辺は、前記第２光源から出射されて前記第２基準部材で正反射された反射光が照射される範囲よりも上流側に位置し、前記搬送方向における前記第２基準部材の上流側端辺は、前記第１光源から出射されて前記第１基準部材で正反射された反射光が照射される範囲の下流側端部に位置している。
【０００７】
この画像読取装置では、第１読取部の第１光源と第２読取部の第２光源とが共に斜め下流向きに光を照射しており、搬送方向に対する第１読取部と第２読取部の向きが等しい。そして、この画像読取装置では、第１遮光部材及び第２遮光部材が設けられており、各受光部に異なる読取部の光源からの直接光が照射されない。また、各基準部材の搬送方向における位置が調整されており、各受光部に、異なる読取部の光源から出射されて一組の基準部材で正反射された光が照射されない。この画像読取装置によれば、各受光部における異なる読取部の光源からの影響を抑制することができ、原稿の読取画質を向上させることができる。
【０００８】
また、上記の画像読取装置では、前記第１基準部材は、前記搬送方向における幅が、前記搬送方向における前記第１受光部の受光幅以上に設定されており、前記第２基準部材は、前記搬送方向における幅が、前記搬送方向における前記第２受光部の受光幅以上に設定されている構成としても良い。
【０００９】
各白基準部材は、対向して配置された読取部が有する対応する受光部の受け取る光量を調整するのに用いられるため、その搬送方向における幅は、対応する受光部の受光幅以上あれば良い。この画像読取装置では、各白基準部材の搬送方向における幅を、対応する受光部の受光幅以上に設定する。そのため、対応する白基準部材を用いて、対応する受光部の光量を調整することができる。
【００１０】
また、上記の画像読取装置では、更に、前記第１基準部材の周辺に位置し、前記第１反射率よりも低い反射率を有する第１周辺部材と、前記第２基準部材の周辺に位置し、前記第２反射率よりも低い反射率を有する第２周辺部材と、を備える構成としても良い。
【００１１】
この画像読取装置によれば、各基準部材の周辺に位置する周辺部材の反射率が各基準部材の反射率よりも低いことから、各受光部に異なる読取部の光源から出射されて周辺部材で反射された光が照射された場合でも、その影響を低く抑えることができ、原稿の読取画質の低下を抑制することができる。
【００１２】
また、上記の画像読取装置では、更に、前記搬送経路に沿って一方の側であって、前記第１読取部及び前記第２基準部材の前記搬送経路側に配置され、光を透過する第１透過部材と、前記搬送経路に沿って他方の側であって、前記第２読取部及び前記第１基準部材の前記搬送経路側に配置され、光を透過する第２透過部材と、を備え、前記第１基準部材は、前記搬送経路側において前記第２透過部材と当接し、前記第２基準部材は、前記搬送経路側において前記第１透過部材と当接する構成としても良い。
【００１３】
この画像読取装置では、第２基準部材に、第１透過部材を通して光が照射され、第１基準部材に、第２透過部材を通して光が照射される。一般に、第１透過部材及び第２基準部材の絶対屈折率は、空気の絶対屈折率よりも大きいことから、各基準部材の搬送経路側に透過部材を当接させて配置しておくことで、各透過部材に照射される光の入射角を、第１透過部材及び第２基準部材が存在しない場合に比べて、小さくすることができる。これにより、各基準部材における反射率を小さくすることができ、各基準部材から反射される反射光の強度を弱くすることができる。従って、各受光部に異なる読取部の光源から出射されて各基準部材で拡散反射された光が照射された場合でも、その影響を低く抑えることができ、原稿の読取画質の低下を抑制することができる。
【００１４】
また、上記の画像読取装置では、更に、制御部、を備え、前記制御部は、前記第１光源及び第２光源を同時に点灯させ、前記第１受光部及び前記第２受光部の出力値を調整する光量調整処理、を実行する構成としても良い。
【００１５】
この画像読取装置によれば、各受光部における異なる読取部の光源からの影響が抑制されていることから、第１光源及び第２光源を同時に点灯させた場合でも、第１受光部と第２受光部の出力値をそれぞれ調整することができる。
【００１６】
また、上記の画像読取装置では、前記搬送方向における前記第１基準部材の下流側端辺と前記第２基準部材の上流側端辺との間の距離は、前記第１光源から前記第１基準部材の下流側端辺への入射角の正接値に、前記第１基準部材の面方向における前記第１基準部材と前記第２基準部材との間の距離を積した距離に設定される構成としても良い。
【００１７】
この画像読取装置によれば、第１光源から出射されて第１基準部材で正反射された光が第２基準部材に到達することが抑制され、第２読取部を用いて読み取られる原稿の読取画質を向上させることができる。
【００１８】
また、上記の画像読取装置では、前記第１基準部材は、前記搬送方向における幅が、前記搬送方向における前記第１受光部の受光幅に設定されており、前記第２基準部材は、前記搬送方向における幅が、前記搬送方向における前記第２受光部の受光幅に設定されている構成としても良い。
【００１９】
この画像読取装置では、各白基準部材の搬送方向における幅を、対応する受光部の受光幅に併せて最小に設定する。特に、第１白基準部材の搬送方向における幅を、対応する第１受光部の受光幅に併せて最小に設定する。そのため、第１光源から出射されて第１基準部材で正反射された反射光が照射される範囲が縮小されて、搬送方向における第１受光部と第２受光部との間の距離を短くすることができ、画像読取装置を小型化することができる。
【００２０】
また、上記の画像読取装置では、前記第１反射率は、前記第２反射率よりも小さい構成としても良い。
【００２１】
この画像読取装置では、第１読取部の第１光源と第２読取部の第２光源とが共に下流向きに光を照射しており、第２受光部が第１受光部よりも搬送方向において下流側に配置されている。そのため、第１光源から出射されて第１基準部材で拡散反射された反射光が第２受光部に照射される割合が、第２光源から出射されて第２基準部材で拡散反射された反射光が第１受光部に照射される割合よりも高い。この画像読取装置では、第１基準部材の第１反射率を第２基準部材の第２反射率よりも低くすることで、第１基準部材で拡散反射される光の光量を減らし、第２受光部に照射される反射光の光量を抑制する。これにより、各受光部における異なる読取部の光源からの影響の差を抑制することができ、原稿の読取画質の低下を抑制することができる。
【００２２】
また、上記の画像読取装置では、前記第２反射率は、白基準板の反射率であり、前記第１反射率は、白基準板の反射率よりも小さく黒基準板の反射率よりも大きい構成としても良い。
【００２３】
この画像読取装置では、第２基準部材の第２反射率は、白基準板の反射率に設定されており、第１基準部材の第１反射率は、白基準板の反射率よりも小さく黒基準板の反射率よりも大きい、いわゆる、灰色基準板の反射率に設定されている。そのため、第１読取部では、灰色基準板の反射率を有する第１基準部材を用いて、第１光源の出射光量を調整することができ、第２読取部では、白基準板の反射率を有する第２基準部材を用いて、第２光源の出射光量を調整することができる。
【００２４】
本明細書によって開示される画像読取装置は、また、供給トレイと、前記供給トレイに載置された原稿を搬送経路に沿って搬送する搬送部と、前記搬送経路に沿って一方の側から搬送方向の斜め上流向きに光を出射する第１光源と、第１受光部と、を有し、前記原稿の一方の面を読み取る第１読取部と、前記搬送経路に沿って他方の側から前記搬送方向の斜め上流向きに光を出射する第２光源と、前記第１受光部よりも前記搬送方向において下流側に配置された第２受光部と、を有し、前記原稿の他方の面を読み取る第２読取部と、前記第１読取部と前記搬送経路を介して対向して配置され、第１反射率を有する第１基準部材と、前記第２読取部と前記搬送経路を介して対向して配置され、第２反射率を有する第２基準部材と、前記第１光源と前記第２受光部との間に配置され、光を透過しない第１遮光部材と、前記第２光源と前記第１受光部との間に配置され、光を透過しない第２遮光部材と、を備え、前記搬送方向における前記第２基準部材の上流側端辺は、前記第１光源から出射されて前記第１基準部材で反射された反射光が照射される範囲よりも下流側に位置し、前記搬送方向における前記第１基準部材の下流側端辺は、前記第２光源から出射されて前記第２基準部材で反射された反射光が照射される範囲の上流側端部に位置している。
【００２５】
この画像読取装置では、第１読取部の第１光源と第２読取部の第２光源とが共に上流向きに光を照射しており、搬送方向に対する第１読取部と第２読取部の向きが等しい。そして、各受光部において異なる読取部の光源からの影響が抑制されており、原稿の読取画質の低下を抑制することができる。
【００２６】
本明細書によって開示される画像読取装置は、また、供給トレイと、前記供給トレイに載置された原稿を搬送経路に沿って搬送する搬送部と、前記搬送経路に沿って一方の側から搬送方向の斜め下流向きに光を出射する第１光源と、第１受光部と、を有し、前記原稿の一方の面を読み取る第１読取部と、前記搬送経路に沿って他方の側から前記搬送方向の斜め下流向きに光を出射する第２光源と、前記第１受光部よりも前記搬送方向において下流側に配置された第２受光部と、を有し、前記原稿の他方の面を読み取る第２読取部と、前記第１読取部と前記搬送経路を介して対向して配置され、第１反射率を有する第１基準部材と、前記第２読取部と前記搬送経路を介して対向して配置され、第２反射率を有する第２基準部材と、を備え、前記搬送方向における前記第２読取部の上流側端辺は、前記搬送方向における前記第１読取部の下流側端辺よりも上流側に位置し、前記第１反射率は、前記第２反射率よりも小さい。
【００２７】
この画像読取装置は、搬送方向における第２読取部の上流側端辺が、搬送方向における第１読取部の下流側端辺よりも上流側に位置し、第１読取部と第２読取部とが搬送方向において重なって配置される。そのため、第２読取部の上流側端辺が第１読取部の下流側端辺よりも下流側に位置する場合に比べて、画像読取装置を小型化することができる。
【００２８】
また、この画像読取装置は、第１読取部の第１光源と第２読取部の第２光源とが共に斜め下流向きに光を照射しており、第２受光部が第１受光部よりも搬送方向において下流側に配置されている。そのため、第１光源から出射されて第１基準部材で反射された反射光が第２受光部に照射される割合が、第２光源から出射されて第２基準部材で反射された反射光が第１受光部に照射される割合よりも高い。この画像読取装置では、第１基準部材の第１反射率を第２基準部材の第２反射率よりも低くすることで、第１基準部材で反射される光の光量を減らし、第２受光部に照射される反射光の光量を抑制する。これにより、各受光部における異なる読取部の光源からの影響の差を抑制することができ、読取画質の低下を抑制することができる。
【発明の効果】
【００２９】
本明細書によれば、原稿の両面を読み取り可能な画像読取装置において、読取画質の低下を抑制することができる。
【図面の簡単な説明】
【００３０】
【図１】画像読取装置の概略的な断面図
【図２】実施形態１の読取部の拡大断面図
【図３】搬送方向における第１白基準部材と第２基準部材の位置関係を示す図
【図４】画像読取装置の電気的構成を概略的に示すブロック図
【図５】実施形態１の画像読取処理を示すフローチャート
【図６】従来技術における読取部の拡大断面図
【図７】実施形態２の読取部の拡大断面図
【図８】実施形態２の画像読取処理を示すフローチャート
【図９】その他の実施形態における読取部の拡大断面図
【図１０】その他の実施形態における読取部の拡大断面図
【発明を実施するための形態】
【００３１】
＜実施形態１＞
実施形態１を、図１から図６を用いて説明する。
【００３２】
１．画像読取装置の機械的構成
図１に示すように、画像読取装置１は、給紙トレイ２と、本体部３と、排紙トレイ４と、を含む。画像読取装置１は、使用者からの画像読取指示により給紙トレイ２に載置された原稿Ｇを排紙トレイ４に搬送するとともに、搬送中の原稿Ｇを本体部３に含まれる読取部２４、２５を用いて読み取るシートフィードスキャナである。
【００３３】
本体部３には、給紙トレイ２と排紙トレイ４を接続する搬送経路２２が設けられており、この搬送経路２２の周辺に、給紙ローラ２０と、分離パッド２１と、搬送ローラ２３と、読取部２４、２５と、フロントセンサ（以下、Ｆセンサ）２６と、リアセンサ（以下、Ｒセンサ）２７と、プラテンガラス３４、４４等を備える。給紙トレイ２は、供給トレイの一例である。
【００３４】
給紙ローラ２０は、給紙トレイ２に載置された原稿Ｇに当接し、摩擦力により、給紙トレイ２に載置された複数枚の原稿Ｇを本体部３の内部へと引き込む。分離パッド２１は、摩擦力により、複数枚の原稿Ｇを各原稿Ｇに分離する。給紙トレイ２に載置された複数枚の原稿Ｇは、これらによって、１枚の原稿Ｇに分離されて本体部３の内部へと引き込まれる。
【００３５】
搬送ローラ２３は、モータＭ（図４参照）により駆動され、本体部３の内部へと引き込まれた原稿Ｇを搬送経路２２上に搬送する。搬送経路２２上を原稿Ｇが搬送される方向を搬送方向Ｄ１と称す。読取部２４、２５は、搬送ローラ２３によって搬送経路２２内を搬送される原稿Ｇを読み取る。
【００３６】
また、搬送ローラ２３は、搬送経路２２上に搬送された原稿Ｇを排紙トレイ４に送り出す。つまり、給紙ローラ２０と搬送ローラ２３とによって、給紙トレイ２に載置された複数枚の原稿Ｇを搬送経路２２に沿って搬送する搬送部２８（図４参照）が形成されている。
【００３７】
第１プラテンガラス３４は、光透過性を有し、搬送経路２２に沿って下側に配置されるとともに搬送経路２２に面して配置される。第２プラテンガラス４４は、光透過性を有し、搬送経路２２に面して配置されるとともに搬送経路２２を介して第１プラテンガラス３４に対向して配置されている。つまり、第２プラテンガラス４４は、搬送経路２２に沿って上側に配置される。第１プラテンガラス３４は、第１透光部材の一例であり、第２プラテンガラス４４は、第２透光部材の一例である。
【００３８】
第１読取部２４は、搬送経路２２に沿って下側に配置され、同じく搬送経路２２に沿って下側に配置された第１プラテンガラス３４の下側に配置される。第１読取部２４は、プラテンガラス３４の上方を搬送経路２２に沿って搬送される原稿Ｇの下面を、第１プラテンガラス３４を通して第１読取位置Ｌ１で読み取る。
【００３９】
第２読取部２５は、搬送経路２２に沿って上側に配置され、同じく搬送経路２２に沿って上側に配置された第２プラテンガラス４４の上側に配置される。第２読取部２５は、第２プラテンガラス４４の下方を搬送経路２２に沿って搬送される原稿Ｇの上面を、第２プラテンガラス４４を通して、搬送方向Ｄ１に第１読取位置Ｌ１より距離Ｘ（図２参照）下流側の第２読取位置Ｌ２で読み取る。以下の説明において、上流及び下流を用いて説明する場合には、搬送方向Ｄ１における上流及び下流を示しているものとする。
【００４０】
第１読取部２４と第２読取部２５は、搬送方向Ｄ１においてその一部が重なって配置される。具体的には、第２読取部２５のキャリッジ４５の上流側端部を意味する第２読取部２５の上流端２５Ｕは、第１読取部２４のキャリッジ３５の下流側端部を示す第１読取部２４の下流端２４Ｄよりも上流側に配置されており、詳細には、第２読取部２５の上流端２５Ｕは、第１読取位置Ｌ１よりも上流側に配置される（図２参照）。
【００４１】
Ｆセンサ２６は、給紙トレイ２に配置され、給紙トレイ２に原稿Ｇが載置された場合にオンし、給紙トレイ２に原稿Ｇが載置されていない場合にオフするように設定されている。Ｒセンサ２７は、搬送経路２２上の読取部２４、２５よりも上流側に配置され、搬送経路２２上の当該位置を原稿Ｇが通過している場合にオンし、原稿Ｇが通過していない場合にオフするように設定されている。
【００４２】
また、本体部３には、この他に、電源スイッチや各種設定ボタンからなり、使用者からの操作指令等を受け付ける操作部５や、ＬＥＤや液晶ディスプレイからなり画像読取装置１の状況を表示する表示部６等が含まれる。
【００４３】
２．読取部周囲の構成
図２に、読取部２４、２５の周囲を拡大して示す。図２では、理解のため、搬送方向Ｄ１が水平方向となるように描写されている。
図２に示すように、第１読取部２４は、発光ダイオードなどで構成される第１光源３１、第１読取位置Ｌ１に配置され、複数の受光素子が主走査方向Ｄ２に直線状に配列されている第１受光部３２、第１光源３１から出射されて第１読取位置Ｌ１で反射された光を第１受光部３２に導く第１光学部材３３、及びこれらが搭載されるキャリッジ３５等を含む。
【００４４】
第１読取部２４では、第１光源３１が第１受光部３２よりも上流側に配置されており、第１光源３１は、搬送方向Ｄ１の下流向きであって搬送経路２２向き（上向き）、つまり、搬送方向Ｄ１に沿って斜め下流向きに光を出射する。第１受光部３２は、第１読取位置Ｌ１に原稿Ｇが存在する場合に、第１読取位置Ｌ１の原稿Ｇの下面で反射された光を受光する。また、第１受光部３２と同一の第１読取位置Ｌ１であり、第１読取部２４と搬送経路２２を介して対向する位置には、第１白基準部材３６が配置されており、第１受光部３２は、第１読取位置Ｌ１に原稿Ｇが存在しない場合に、第１白基準部材３６の下面で反射された光を受光する。第１受光部３２の各受光素子は、受光によって読取データを生成し、主走査方向Ｄ２の一方向きに各読取データを出力する。第１白基準部材３６は、第１基準部材の一例である。
【００４５】
第１白基準部材３６は、遮光性を有する第１周辺部材３７に形成された溝にはめ込まれている。第１白基準部材３６は、第２プラテンガラス４４の上側に配置されており、その下面が第２プラテンガラス４４の上面に当接している。第１白基準部材３６は、第１周辺部材３７の反射率よりも高い第１反射率ＲＦ１を有し、詳細には、白色の標準反射板である白基準板の反射率ＲＦＷと略同一の第１反射率ＲＦ１を有する。また、第１白基準部材３６は、その搬送方向Ｄ１における幅が、搬送方向Ｄ１における第１受光部３２の受光幅と等しく設定されている。ここで、「等しい」とは、完全に等しい場合の他、第１白基準部材３６の搬送方向Ｄ１における幅が、搬送方向Ｄ１における第１受光部３２の受光幅に第１周辺部材３７に形成された溝の形成誤差を考慮した幅となっている場合を含む。第１白基準部材３６は、後述する第１受光部３２の光量調整に用いられる。
【００４６】
また、第２読取部２５は、第１読取部２４と同様に、第２光源４１、第２読取位置Ｌ２に配置された第２受光部４２、第２光源４１から出射されて第２読取位置Ｌ２で反射された光を第２受光部４２に導く第２光学部材４３、及びキャリッジ４５等を含む。
【００４７】
第２読取部２５では、第２光源４１が第２受光部４２よりも上流側に配置されており、第２光源４１は、搬送方向Ｄ１の下流向きであって搬送経路２２向き（下向き）、つまり、搬送方向Ｄ１に沿って斜め下流向きに光を出射する。第２受光部４２は、第２読取位置Ｌ２に原稿Ｇが存在する場合に、第２読取位置Ｌ２の原稿Ｇの上面で反射された光を受光する。また、第２受光部４２と同一の第２読取位置Ｌ２であり、第２読取部２５と搬送経路２２を介して対向する位置には、第２白基準部材４６が配置されており、第２受光部４２は、第２読取位置Ｌ２に原稿Ｇが存在しない場合に、第２白基準部材４６の上面で反射された光を受光する。第２受光部４２の各受光素子は、受光によって読取データを生成し、主走査方向Ｄ２の一方向きと逆向きの他方向きに各読取データを出力する。第２白基準部材４６は、第２基準部材の一例である。
【００４８】
第２白基準部材４６は、遮光性を有する第２周辺部材４７に形成された溝にはめ込まれている。第２白基準部材４６は、第１プラテンガラス３４の下側に配置されており、その上面が第１プラテンガラス３４の下面に当接している。第２白基準部材４６は、第２周辺部材４７の反射率よりも高い第２反射率ＲＦ２を有し、詳細には、白基準板の反射率ＲＦＷと略同一の第２反射率ＲＦ２を有する。また、第２白基準部材４６は、その搬送方向Ｄ１における幅が、搬送方向Ｄ１における第２受光部４２の受光幅と等しく設定されている。第２白基準部材４６は、後述する第２受光部４２の光量調整に用いられる。
【００４９】
なお、第１周辺部材３７は、第１光源３１と第２受光部４２との間に配置されている。そのため、第１周辺部材３７は、第１光源３１から出射された光が、第２受光部４２に直接受光されることを防止する遮光部材としての機能を果たしている。また、第１周辺部材３７及び第２周辺部材４７は、第２光源４１と第１受光部３２との間に配置されている。そのため、第１周辺部材３７及び第２周辺部材４７は、第２光源４１から出射された光が、第１受光部３２に直接受光されることを防止する遮光部材としての機能を果たしている。
【００５０】
次に、白基準部材３６、４６の搬送方向Ｄ１における位置関係について説明する。
第１白基準部材３６は、第２白基準部材４６よりも上流側に配置されている。そのため、図２に一点鎖線で示すように、第１白基準部材３６の下流端は、第２光源４１から出射されて第２白基準部材４６で正反射された反射光が照射される第２照射範囲Ｅ２よりも上流側に位置している。この結果、第２光源４１から出射されて第２白基準部材４６で正反射された反射光が第１白基準部材３６に照射されることがなく、第１白基準部材３６で再び反射された２次反射光が第１受光部３２で受光されることが抑制されている。
【００５１】
また、図２に点線で示すように、第２白基準部材４６の上流端は、第１光源３１から出射されて第１白基準部材３６で正反射された反射光が照射される第１照射範囲Ｅ１の下流端と等しくなるように配置されている。ここで、「等しい」とは、完全に等しい場合の他、第１周辺部材３７に形成された溝の形成誤差を考慮して、第２白基準部材４６の上流端が第１照射範囲Ｅ１の下流端よりも下流側となるように配置されている場合を含む。この結果、第１光源３１から出射されて第１白基準部材３６で正反射された反射光が第２白基準部材４６に照射されることがなく、第２白基準部材４６で再び反射された２次反射光が第２受光部４２で受光されることが抑制されている。
【００５２】
更に詳細には、図３に示すように、搬送方向Ｄ１における第１白基準部材３６の下流端と第２白基準部材４６の上流端との間の距離Ｗは、搬送方向Ｄ１及び主走査方向Ｄ２に直行する直行方向Ｄ３における搬送経路２２の幅Ｙ、直行方向Ｄ３におけるプラテンガラス３４、４４の厚みＺ１、Ｚ２、及びプラテンガラス３４、４４の屈折率εを用いて表される。
【００５３】
一般的に、プラテンガラス３４、４４の屈折率εは、空気の屈折率ε０よりも大きいことから、第１光源３１から第１白基準部材３６の下流端に入射される光の入射角をθ１は、当該光が空気からプラテンガラス３４、４４に入射される際の入射角θ２よりも小さくなる。距離Ｗは、この入射角θ１、θ２を用いて、以下のように示される。
ｓｉｎθ１＝ｓｉｎθ２＊ε／ε０    （式１）
Ｗ＝Ｙ＊ｔａｎθ２＋（Ｚ１＋Ｚ２）＊ｔａｎθ１    （式２）
【００５４】
入射角θ１、θ２は、（式１）の関係を有していることから、（式２）において、Ｙ＊ｔａｎθ２を、幅Ｙをプラテンガラス３４、４４の屈折率εを用いて変換した光学距離Ｙ０（式４参照）とｔａｎθ１の積として示すことができる。そのため、距離Ｗは、光学距離Ｙ０とプラテンガラス３４、４４の厚みＺ１、Ｚ２との和と、入射角θ１の正接値との積として示される。光学距離Ｙ０と厚みＺ１、Ｚ２との和は、第１基準部材の面方向における第１基準部材と第２基準部材との間の距離の一例である。
Ｙ＊ｔａｎθ２＝Ｙ０＊ｔａｎθ１    （式３）
Ｙ０＝Ｙ＊√（ε０＾２−ε０＾２＊ｓｉｎθ１＾２）／√（ε＾２−ε０＾２＊ｓｉｎθ１＾２）    （式４）
Ｗ＝（Ｙ０＋Ｚ１＋Ｚ２）＊ｔａｎθ１    （式５）
【００５５】
３．画像読取装置の電気的構成
次に、図４を参照して、画像読取装置１の電気的構成を説明する。図４に示すように、画像読取装置１は、中央演算処理装置（以下、ＣＰＵ）１１、ＲＯＭ１２、ＲＡＭ１３、デバイス制御部１５、第１アナログフロントエンド（以下、第１ＡＦＥ）１６、第２ＡＦＥ１７、駆動回路１８を備え、これらにバス１９を介して読取部２４、２５、操作部５、表示部６、各センサ２６、２７等が接続されている。図４に一点鎖線１４で示すように、ＣＰＵ１１と、ＲＯＭ１２と、ＲＡＭ１３を含めたものが、制御部の一例である。
【００５６】
ＲＯＭ１２には、後述する画像読取処理など、画像読取装置１の各種動作を実行するためのプログラムが記憶されており、ＣＰＵ２０は、ＲＯＭ１２から読み出したプログラムに従って、各部の制御を行う。
【００５７】
デバイス制御部１５は、読取部２４、２５に各々接続されており、ＣＰＵ１１からの命令に基づいて、光源３１、４１の点灯／消灯、及び光源３１、４１に流れる電流値Ｉを制御する信号を読取部２４、２５に送信する。読取部２４、２５は、デバイス制御部１５から信号を受け取ると、光源３１、４１を点灯するとともに受光部３２、４２を用いて受光し、受光部３２、４２が受光した受光量に応じたアナログ信号である読取データをＡＦＥ１６、１７に出力する。
【００５８】
第１ＡＦＥ１６は、第１読取部２４に接続されており、ＣＰＵ１１からの命令に基づいて、第１読取部２４から出力される読取データをデジタル信号である階調データの読取データに変換する。第１ＡＦＥ１６は、予め定められた入力レンジ及び分解能（例えば、８ビットであるならば０から２５５の階調）を有している。第１ＡＦＥ１６は、第１読取部２４から出力された読取データを８ビット（０〜２５５）の階調データに変換する。そして、第１ＡＦＥ１６によってＡ／Ｄ変換された階調データは、バス１９を介してＲＡＭ１３に記憶される。
【００５９】
第２ＡＦＥ１７は、第２読取部２５に接続されており、ＣＰＵ１１からの命令に基づいて、第２読取部２５から出力される読取データをデジタル信号である階調データの読取データに変換する。第２ＡＦＥ１７は、第２読取部２５から出力された読取データを８ビットの階調データに変換し、Ａ／Ｄ変換された階調データは、バス１９を介してＲＡＭ１３に記憶される。
【００６０】
駆動回路１８は、モータＭに接続され、ＣＰＵ１１から入力されるパルス信号に基づいてモータＭを回転駆動する。モータＭは、パルス信号の１パルスで、１ステップの回転角度分、回転駆動する。モータＭが１ステップ分駆動すると、搬送部２８が所定角度回転し、搬送経路２２上を原稿Ｇが所定距離だけ搬送される。ＣＰＵ１１は、原稿Ｇを搬送する際に、駆動回路１８にパルス信号を送信し、これに従って搬送部２８は、そのパルス信号のパルスの数に所定距離を掛けた距離だけ原稿Ｇを搬送する。以後、ＣＰＵ１１が駆動回路１８に送信するパルス信号のパルスの数を、ステップ数と呼ぶ。
【００６１】
４．画像読取処理
次に、図５を参照して、原稿Ｇの画像読取処理について説明する。図５に示すように、ＣＰＵ１１は、Ｆセンサ２６を用いて給紙トレイ２に原稿Ｇが載置されたことが確認され、操作部５を介して使用者から原稿Ｇの読取指示が入力されると、処理を開始する。
【００６２】
ＣＰＵ１１は、処理を開始すると、まず、受光部３２、４２の光量調整、つまり、光源３１、４１に流れる電流値Ｉを設定する（Ｓ２からＳ１４）。ＣＰＵ１１は、光源３１、４１に流れる電流値Ｉを初期設定である最大電流値に設定する（Ｓ２）。次に、ＣＰＵ１１は、デバイス制御部１５に対して、設定された電流値Ｉで光源３１、４１を同時に点灯させるように指示し（Ｓ４）、各読取部２４、２５に対向する白基準部材３６、４６を読み取らせるように指示する（Ｓ６）。これにより、ＣＰＵ１１は、第１白基準部材３６を読み取って生成された第１白基準データＷ１、及び第２白基準部材４６を読み取って生成された第２白基準データＷ２を取得する。
【００６３】
ＣＰＵ１１は、取得された第１白基準データＷ１を第１ＡＦＥ１６によりＡ／Ｄ変換して得られる階調データの最大階調値を第１ＡＦＥ１６の最大階調値（８ビットの場合、２５５）と比較する（Ｓ８）。ＣＰＵ１１は、第１白基準データＷ１の最大階調値が第１ＡＦＥ１６の最大階調値よりも大きい場合（Ｓ８：ＹＥＳ）、第１光源３１に流れる電流値Ｉを基準電流値だけ減少させ（Ｓ１０）、Ｓ４からの処理を繰り返す。
【００６４】
一方、ＣＰＵ１１は、第１白基準データＷ１の最大階調値が第１ＡＦＥ１６の最大階調値以下の場合（Ｓ８：ＮＯ）、次に、取得された第２白基準データＷ２を第２ＡＦＥ１７によりＡ／Ｄ変換して得られる階調データの最大階調値を第２ＡＦＥ１７の最大階調値（８ビットの場合、２５５）と比較する（Ｓ１２）。ＣＰＵ１１は、第２白基準データＷ２の最大階調値が第２ＡＦＥ１７の最大階調値よりも大きい場合（Ｓ１２：ＹＥＳ）、第２光源４１に流れる電流値Ｉを基準電流値だけ減少させ（Ｓ１４）、Ｓ４からの処理を繰り返す。
【００６５】
一方、ＣＰＵ１１は、第２白基準データＷ２の最大階調値が第２ＡＦＥ１７の最大階調値以下の場合（Ｓ１２：ＮＯ）、光源３１、４１に流れる電流値Ｉの設定を終了し、原稿Ｇの読み取りを開始する。ＣＰＵ１１は、搬送部２８に対して原稿Ｇの搬送を指示し（Ｓ１６）、原稿Ｇの搬送を開始する。
【００６６】
ＣＰＵ２０は、Ｒセンサ２７がオンするのを待機しており、Ｒセンサ２７がオンすると、デバイス制御部１５に対して光源３１、４１の点灯を指示する。また、ＣＰＵ１１は、デバイス制御部１５を用いて、原稿Ｇが各読取部２４、２５の読取位置Ｌ１、Ｌ２を通過する間に亘って原稿Ｇを読み取る（Ｓ１８）。
【００６７】
ＣＰＵ２０は、原稿Ｇの読み取りを終了すると、原稿Ｇを排紙トレイ４にまで搬送した後に、搬送部２８に対して原稿Ｇの搬送の終了を指示し（Ｓ２０）、原稿Ｇの画像読取処理を終了する。
【００６８】
５．本実施形態の効果
（１）本実施形態の画像読取装置１では、第１読取部２４の第１光源３１と第２読取部２５の第２光源４１とが共に斜め下流向きに光を照射しており、搬送方向Ｄ１に対する第１読取部２４と第２読取部２５の向きが等しい。そのため、第１読取部２４の第１受光部３２と第２読取部２５の第２受光部４２では、主走査方向Ｄ２のお互いに異なる向きに読取データを出力し、この結果、各読取部２４、２５は、原稿Ｇの各面に対して等しい向きに読み取りを行う。そのため、原稿Ｇを読み取った後に、一方の読取部２４、２５で読み取られた読取データに対して、主走査方向Ｄ２の向きを逆転させるための回転処理を実行する必要がなく、回転処理により原稿Ｇの読取画質が低下することが抑制される。
【００６９】
（２）その上で、この画像読取装置１では、遮光性を有する第１周辺部材３７や第２周辺部材４７が、第１光源３１と第２受光部４２との間、及び第２光源４１と第１受光部３２との間に配置されており、各受光部３２、４２に異なる読取部２４、２５の光源３１、４１からの直接光が照射されることが抑制されている。また、各白基準部材３６、４６の搬送方向Ｄ１における位置が上述のように調整されており、各受光部３２、４２に、異なる読取部２４、２５の光源３１、４１から出射されて一組の白基準部材３６、４６で正反射された２次反射光が照射されることが抑制されている。
【００７０】
図６に示すように、従来技術の画像読取装置では、各白基準部材３６、４６の搬送方向Ｄ１における位置が考慮されていなかった。そのため、装置サイズを縮小するために、第１読取位置Ｌ１と第２読取位置Ｌ２との間の距離Ｘを短縮すると、図６に点線で示すように、各受光部３２、４２に、異なる読取部２４、２５の光源３１、４１から出射されて一組の白基準部材３６、４６で正反射された２次反射光が照射されることがあり、原稿Ｇの読取画質が低下する問題が生じていた。
【００７１】
この画像読取装置１では、第１読取位置Ｌ１と第２読取位置Ｌ２との間の距離Ｘを短縮する場合でも、各白基準部材３６、４６の搬送方向Ｄ１における位置に制限を設ける。これにより、各受光部３２、４２において、異なる読取部２４、２５の光源３１、４１からの影響が抑制され、原稿Ｇの読取画質を向上させることができる。
【００７２】
（３）本実施形態の画像読取装置１では、第１読取部２４と第２読取部２５とが搬送方向Ｄ１において重なって配置される。そのため、第２読取部２５の上流端２５Ｕが第１読取部２４の下流端２４Ｄよりも下流側に配置される場合、つまり、第１読取部２４と第２読取部２５とが搬送方向Ｄ１において離れて配置される場合に比べて、装置を小型化することができる。
【００７３】
（４）画像読取装置１では、各白基準部材３６、４６は、対応する受光部３２、４２の光量調整に用いられるため、その搬送方向Ｄ１における幅は、対応する受光部３２、４２の受光幅以上あれば良い。本実施形態の画像読取装置１では、各白基準部材３６、４６の搬送方向Ｄ１における幅が、対応する受光部３２、４２の受光幅と等しく、つまり、最小に設定されている。そのため、各光源３１、４１から出射されて対向する白基準部材３６、４６で正反射された反射光が照射される照射範囲Ｅ１、Ｅ２が縮小される。特に、第１光源３１から出射されて第１白基準部材３６で正反射された反射光が照射される第１照射範囲Ｅ１が縮小されることで、搬送方向Ｄ１における第１読取位置Ｌ１と第２読取位置Ｌ２との間の距離Ｘを短くすることができ、装置を小型化することができる。
【００７４】
（５）本実施形態の画像読取装置１では、各白基準部材３６、４６の反射率ＲＦ１、ＲＦ２は、その周辺に位置する周辺部材３７、４７の反射率よりも高く設定されている。そのため、各受光部３２、４２に異なる読取部２４、２５の光源３１、４１から出射されて周辺部材３７、４７で反射された光が照射された場合でも、その影響を低く抑えることができ、原稿Ｇの読取画質の低下を抑制することができる。
【００７５】
（６）本実施形態の画像読取装置１では、第１白基準部材３６が第２プラテンガラス４４よりも遠い側である第２プラテンガラス４４の上側に配置されており、第２プラテンガラス４４の下面と第１白基準部材３６の下面が同一平面となるように配置される場合に比べて、第１光源３１から出射されて第１白基準部材３６に入射される光の入射角は小さく設定されている。
【００７６】
更に、この画像読取装置１では、第１白基準部材３６の下面が第２プラテンガラス４４の上面に当接しており、第１光源３１から出射された光が第２プラテンガラス４４を通して第１白基準部材３６に照射される。そのため、第１白基準部材３６に入射される光の入射角は、第２プラテンガラス４４が存在しない場合に比べて小さく設定されている。
【００７７】
一般に、光の入射角が小さくなると、光の反射率を小さくすることができ、第１白基準部材３６から反射される反射光の強度を弱くすることができる。そのため、各受光部３２、４２に異なる読取部２４、２５の光源３１、４１から出射されて各白基準部材３６、４６で拡散反射された光が照射された場合でも、その影響を低く抑えることができ、原稿Ｇの読取画質の低下を抑制することができる。
【００７８】
（７）本実施形態の画像読取装置１では、受光部３２、４２の光量調整を行う際に、光源３１、４１を同時に点灯させる。この画像読取装置１では、上述したように、各受光部３２、４２において、異なる読取部２４、２５の光源３１、４１からの影響が抑制されていることから、光源３１、４１を同時に点灯させた場合でも、各々の電流値Ｉをそれぞれ調整することができる。そのため、光源３１、４１の電流値Ｉを連続して調整する際に、光源３１、４１の点灯を切り換える必要がなく、また、各受光部３２、４２の電流値Ｉを同時に調整することも可能である。
【００７９】
＜実施形態２＞
実施形態２の画像読取装置１について、図７、８を用いて説明する。本実施形態では、図７に示すように、第１読取部２４と搬送経路２２を介して対向する位置に、灰色基準部材６６が配置されている点で、第１白基準部材３６が配置されている実施形態１の画像読取装置１と異なる。灰色基準部材６６は、第１基準部材の別例である。以下の説明では、実施形態１と同一の内容については重複した記載を省略する。
【００８０】
１．読取部周囲の構成
灰色基準部材６６は、第１周辺部材３７の反射率よりも高い第３反射率ＲＦ３を有する。第３反射率ＲＦ３は、白基準板の反射率ＲＦＷと略同一の第２白基準部材４６の第２反射率ＲＦ２よりも低く、黒色の標準反射板である黒基準部材の反射率ＲＦＢよりも高い値に設定されている。
【００８１】
２．画像読取処理
次に、図８を参照して、原稿Ｇの画像読取処理について説明する。本実施形態では、ＲＯＭ１２に第１読取部２４の白基準データＷＫが予め記憶されており、ＣＰＵ１１は、白基準データＷＫをＲＯＭ１２から読み出して第１光源３１に流れる電流値Ｉを設定する。
【００８２】
ここで、白基準データＷＫは、画像読取装置１の製造時に、第１読取部２４及び第１ＡＦＥを用いて取得された白基準データである。詳細には、白基準データＷＫは、第１読取部２４に画像読取装置１とは別体の白基準板を対向させて取得され、その最大階調値が第１ＡＦＥ１６の最大階調値と略同一となるように調整されている。また、ＲＯＭ１２には、白基準データＷＫを取得するのに用いられた白基準板の反射率ＲＦＫが併せて記憶されている。
【００８３】
ＣＰＵ１１は、処理を開始すると、まず、光源３１、４１に流れる電流値Ｉを初期設定である最大電流値に設定する（Ｓ２）。ＣＰＵ１１は、デバイス制御部１５に対して、設定された電流値Ｉで光源３１、４１を同時に点灯させるように指示し（Ｓ４）、第１読取部２４に対向する灰色基準部材６６を読み取らせ、第２読取部２５に対向する第２白基準部材４６を読み取らせるように指示する（Ｓ２６）。これにより、ＣＰＵ１１は、灰色基準部材６６を読み取って生成された灰色基準データＨ１、及び第２白基準部材４６を読み取って生成された第２白基準データＷ２を取得する。
【００８４】
ＣＰＵ１１は、取得された灰色基準データＨ１をＲＯＭ１２に記憶された白基準データＷＫと比較する（Ｓ２８）。具体的には、ＣＰＵ１１は、ＲＯＭ１２から反射率ＲＦＫを読み出し、当該反射率ＲＦＫを灰色基準部材６６の第３反射率ＲＦ３で除した反射比率ＲＨを算出する（式６参照）。また、ＣＰＵ１１は、ＲＯＭ１２から白基準データＷＫを読み出し、当該白基準データＷＫの各階調データを反射比率ＲＨで除した比較基準データＨＫを算出する（式７参照）。ＣＰＵ１１は、灰色基準データＨ１と比較基準データＨＫとを階調データ毎に比較する。
ＲＨ＝ＲＦＫ／ＲＦ３    （式６）
ＨＫ＝ＷＫ／ＲＨ    （式７）
【００８５】
ＣＰＵ１１は、灰色基準データＨ１の最大階調値が比較基準データＨＫの最大階調値よりも大きい場合（Ｓ２８：ＹＥＳ）、第１光源３１に流れる電流値Ｉを基準電流値だけ減少させ（Ｓ１０）、Ｓ４からの処理を繰り返す。一方、ＣＰＵ１１は、灰色基準データＨ１の最大階調値が比較基準データＨＫの最大階調値以下の場合（Ｓ２８：ＮＯ）、Ｓ１２からの処理を実行する。
【００８６】
３．本実施形態の効果
本実施形態の画像読取装置１では、第１読取部２４の第１光源３１と第２読取部２５の第２光源４１とが共に斜め下流向きに光を照射しており、第２受光部４２が第１受光部３２よりも搬送方向Ｄ１において下流側に配置されている。この結果、第１光源３１から出射されて灰色基準部材６６で拡散反射された反射光が第２受光部４２に照射される割合が、第２光源４１から出射されて第２白基準部材４６で拡散反射された反射光が第１受光部３２に照射される割合よりも高く、原稿Ｇの上面の読取画質が低下しやすい問題が生じていた。
【００８７】
そのため、画像読取装置１では、第２読取部２５と対向する位置には、白基準板の反射率ＲＦＷと略同一の第２反射率ＲＦ２を有する第２白基準部材４６を配置する一方、第１読取部２４と対向する位置には、第２白基準部材４６の第２反射率ＲＦ２よりも低い第３反射率ＲＦ３を有する灰色基準部材６６を配置する。そして、灰色基準部材６６で拡散反射される光の光量を減らし、第２受光部４２に照射される反射光の光量を抑制する。これにより、原稿Ｇの上面の読取画質の低下が抑制することができ、各受光部３２、４２において、異なる読取部２４、２５の光源３１、４１からの影響の差が抑制され、原稿Ｇ全体の読取画質を向上させることができる。
【００８８】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られず、少なくともスキャナ機能を備えていれば、プリンタ機能やコピー機能、ファクシミリ機能等の他の機能を備えた複合機に適用されても良い。
【００８９】
（２）上記実施形態では、画像読取装置１が１つのＣＰＵ１１を有し、読取部２４、２５などの各部の制御を当該１つのＣＰＵ１１によって実行する例を用いて示したが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００９０】
（３）また、ＣＰＵ１１が実行するプログラムは必ずしもＲＯＭ１２に記憶されている必要はなく、ＣＰＵ１１自身に記憶されていてもよければ、他の記憶装置に記憶されていても良い。
【００９１】
（４）上記実施形態では、受光部３２、４２の光量調整を行う際に、光源３１、４１を同時に点灯させる例を用いて説明を行ったが、異なる読取部２４、２５の光源３１、４１から出射される光は不要であることから、各受光部３２、４２に対応する光源３１、４１のみを点灯させてもよい。また、光源３１、４１を同時に点灯させて、各受光部３２、４２の電流値Ｉを同時に調整、つまり同一のタイミングで対応する白基準部材３６、４６を読み取って白基準データＷ１、Ｗ２を生成してもよい。
【００９２】
（５）上記実施形態では、第１白基準部材３６が第２プラテンガラス４４の上側に配置されている例を用いて説明を行ったが、第２プラテンガラス４４の下面と第１白基準部材３６の下面が同一平面となるように配置されていてもよい。同様に、第１プラテンガラス３４の上面と第２白基準部材４６の上面が同一平面となるように配置されていてもよい。
【００９３】
また、第１白基準部材３６が第２プラテンガラス４４の上側に配置されている場合でも、必ずしも第１白基準部材３６の下面が第２プラテンガラス４４の上面と当接している必要はない。同様に、第２白基準部材４６が第１プラテンガラス３４の下側に配置されている場合でも、必ずしも第２白基準部材４６の上面が第１プラテンガラス３４の下面と当接している必要はない。
【００９４】
（６）上記実施形態では、各白基準部材３６、４６の搬送方向Ｄ１における幅が、対応する受光部３２、４２の受光幅と等しく設定されている例を用いて説明を行ったが、これに限られない。実施形態では、一組の白基準部材３６、４６でそれぞれ反射された２次反射光が発生することを抑制するために、第２白基準部材４６の上流端の位置が調整されているものの、その下流端については特に規定されていない。そのため、図９に示すように、第２白基準部材４６の下流端が、第２受光部４２の下流端よりも下流側に伸びて形成されていてもよい（図９二点鎖線参照）。この場合でも、対応する第２受光部４２の受光幅以上であることから、第２受光部４２の光量調整にも支障がない。
【００９５】
同様に、第１白基準部材３６では、その下流端の位置が調整されているものの、その上流端については特に規定されていない。そのため、第１白基準部材３６の上流端が、第１受光部３２の上流端よりも上流側に伸びて形成されていてもよい。この場合でも、対応する第１受光部３２の受光幅以上であることから、第１受光部３２の光量調整にも支障がない。
【００９６】
（７）上記実施形態では、第１読取部２４の第１光源３１と第２読取部２５の第２光源４１とが共に斜め下流向きに光を照射する例を用いて説明を行ったが、図１０に示すように、第１読取部２４の第１光源３１と第２読取部２５の第２光源４１とが共に斜め上流向きに光を照射してもよい。この場合でも、搬送方向Ｄ１に対する第１読取部２４と第２読取部２５の向きは等しい。
【００９７】
この場合でも、第１読取部２４と第２読取部２５は、搬送方向Ｄ１においてその一部が重なって配置される。具体的には、第２読取部２５のキャリッジ４５の下流側端部を意味する第２読取部２５の下流端２５Ｄは、第１読取部２４のキャリッジ３５の上流側端部を示す第１読取部２４の上流端２４Ｕよりも上流側に配置されており、詳細には、第２読取部２５の下流端２５Ｄは、第１読取位置Ｌ１よりも下流側に配置される（図１０参照）。
【００９８】
また、第１白基準部材３６は、第２白基準部材４６よりも下流側に配置される。図１０に一点鎖線で示すように、第１白基準部材３６の上流端は、第２光源４１から出射されて第２白基準部材４６で正反射された反射光が照射される第２照射範囲Ｅ２よりも下流側に位置されている。さらに、図１０に点線で示すように、第２白基準部材４６の下流端は、第１光源３１から出射されて第１白基準部材３６で正反射された反射光が照射される第１照射範囲Ｅ１の上流端と等しくなるように配置されている。上記の構成を有していることで、実施形態と同様に、各受光部３２、４２において、異なる読取部２４、２５の光源３１、４１からの影響が抑制され、原稿Ｇの読取画質を向上させることができる。
【００９９】
（８）上記実施形態では、第１周辺部材３７や第２周辺部材４７が、一方の読取部２４、２５の光源３１、４１から出射された光が他方の読取部２４、２５の受光部３２、４２に直接受光されることを防止する遮光部材として機能する例を用いて説明を行ったが、遮光部材として機能する部材は、第１周辺部材３７や第２周辺部材４７に限らない。
【０１００】
更には、上記実施形態２のように、第１読取部２４と搬送経路２２を介して対向する位置に灰色基準部材６６が配置される場合には、遮光部材として機能する部材は配置されなくてもよい。
【０１０１】
（９）上記実施形態では、第２白基準部材４６の上流端が第１照射範囲Ｅ１の下流端と等しく配置されている例を用いて説明を行ったが、第２白基準部材４６の上流端が第１照射範囲Ｅ１の下流端よりも下流側に位置していてもよい。この場合でも、一組の白基準部材３６、４６でそれぞれ反射された２次反射光が発生することを抑制することができる。
【０１０２】
更には、上記実施形態２のように、第１読取部２４と搬送経路２２を介して対向する位置に灰色基準部材６６が配置される場合には、第２白基準部材４６の上流端が第１照射範囲Ｅ１の下流端よりも上流側に位置していてもよい。つまり、第２白基準部材４６の搬送方向Ｄ１における位置が制限されない。
【０１０３】
第１読取部２４に対向して灰色基準部材６６が配置されると、第１光源３１から出射されて第１白基準部材３６で正反射、及び拡散反射された反射光の光量が抑制される。そのため、一組の白基準部材３６、４６でそれぞれ反射された２次反射光が発生したとしても、第１読取部２４の第１光源３１から出射された光による第２受光部４２への影響を抑制することができる。
【０１０４】
また、第２白基準部材４６の上流端が第１照射範囲Ｅ１の下流端よりも上流側に位置していることで、第２白基準部材４６の上流端が第１照射範囲Ｅ１の下流端と等しく配置されている場合や、第２白基準部材４６の上流端が第１照射範囲Ｅ１の下流端よりも下流側に位置している場合に比べて、装置を小型化することができる。
【符号の説明】
【０１０５】
２４：第１読取部、２５：第２読取部、３１：第１光源、３２：第１受光部、３４：第１プラテンガラス、３６：第１白基準部材、３７：第１周辺部材、４１：第２光源、４２：第２受光部、４４：第２プラテンガラス、４６：第２白基準部材、４７：第２周辺部材、Ｄ１：搬送方向、Ｄ２：主走査方向、Ｅ１：第１照射範囲、Ｅ２：第２照射範囲、Ｌ１：第１読取位置、Ｌ２：第２読取位置
【図１】
2014195245.tif 000003
【図２】
2014195245.tif 000004
【図３】
2014195245.tif 000005
【図４】
2014195245.tif 000006
【図５】
2014195245.tif 000007
【図６】
2014195245.tif 000008
【図７】
2014195245.tif 000009
【図８】
2014195245.tif 000010
【図９】
2014195245.tif 000011
【図１０】
2014195245.tif 000012